(57)【要約】【課題】化粧パネルの取替えを容易に行なうことができ、しかも受け具や係止具を容易にかつ強固に断熱材に取り付けることができて施工性に優れた基礎断熱構造を提供する。【解決手段】基礎１の屋外面に断熱材２を設けると共に、断熱材２の屋外面に化粧パネル３を取り付けて形成され、化粧パネル３の下部は施工後に地面４に埋設される基礎断熱構造に関する。固着具５が保持される固着具保持部材６を断熱材２に設ける。化粧パネル３の下端部位置に配置される受け具７を固着具保持部材６に打入した固着具５で断熱材２の外面に取り付けると共に、化粧パネル３の上端部位置に配置される係止具８を固着具保持部材６に打入した固着具５で断熱材２の外面に取り付ける。化粧パネル３の下端部を受け具７で脱着自在に保持すると共に化粧パネル３の上端部を係止具８で脱着自在に係止することによって、断熱材２の屋外面に化粧パネル３を取り付ける。【選択図】図１
2008208543.tif 000002
【特許請求の範囲】
【請求項１】
基礎の屋外面に断熱材を設けると共に、断熱材の屋外面に化粧パネルを取り付けて形成され、化粧パネルの下部は施工後に地面に埋設される基礎断熱構造であって、固着具が保持される固着具保持部材を断熱材に設け、化粧パネルの下端部位置に配置される受け具を固着具保持部材に打入した固着具で断熱材の外面に取り付けると共に、化粧パネルの上端部位置に配置される係止具を固着具保持部材に打入した固着具で断熱材の外面に取り付け、化粧パネルの下端部を受け具で保持すると共に化粧パネルの上端部を係止具で係止することによって、断熱材の屋外面に化粧パネルを取り付けて成ることを特徴とする基礎断熱構造。
【請求項２】
基礎の上側に配置して取り付けられる土台水切りで係止具を覆って成ることを特徴とする請求項１に記載の基礎断熱構造。
【請求項３】
化粧パネルは、セメントと水と油性物質を主成分とするセメント含有逆エマルジョン組成物からなるセメント系成形材料で形成されたものであることを特徴とする請求項１又は２に記載の基礎断熱構造。
【発明の詳細な説明】
【技術分野】
【０００１】
本発明は、家屋の基礎における基礎断熱構造に関するものである。
【背景技術】
【０００２】
寒冷地などにおいて床下の断熱性を確保するために、基礎１の屋外面に断熱材２を張って取り付け、この断熱材２の屋外面に化粧のために化粧パネル３を取り付けるようにした基礎断熱構造が採用されている。
【０００３】
図８は基礎断熱構造の一例を示すものであり、コンクリート布基礎などで形成される基礎１の屋外面にウレタンフォームやスチレンフォームなどの断熱材２を接着して固定してある。この断熱材２の屋外面にセメント等の無機系の化粧パネル３が取り付けてあり、施工後に基礎１の下部を土中に埋めるために、化粧パネル３の下部は地面４に埋設されている。そして化粧パネル３は変性シリコン系などの接着剤で断熱材２に貼り付けることによって固定されている（例えば特許文献１参照）。
【特許文献１】特開２０００−２７３９７７号公報
【発明の開示】
【発明が解決しようとする課題】
【０００４】
しかし化粧パネル３を接着剤で断熱材２に貼り付ける場合、接着剤の養生期間が必要になり、また化粧パネル３を張り替える際には、断熱材２から化粧パネル３を剥すことができないので、断熱材２ごと外す必要があって、多くの手間がかかると共に施工がコスト高になるという問題があった。
【０００５】
そこで、断熱材２の外面に金具を取り付け、この金具に化粧パネル３の上下を保持させることによって、断熱材２の屋外面に化粧パネル３を取り付けることが検討されている。このように金具による保持で化粧パネル３を取り付けるようにすれば、金具から化粧パネル３を外すことによって、化粧パネル３の取替えを容易に行なうことができるものである。
【０００６】
しかしこの場合、金具はビスや釘等の固着具で断熱材２の外面に取り付けられることになるが、断熱材２は発泡樹脂で形成されているために、固着具の保持力が弱く、金具を断熱材２に強度高く取り付けることはできない。このため、固着具を断熱材２を通して基礎１に打ち込むようにする必要があるが、コンクリートで形成される硬い基礎１に固着具を打入することは困難であり、施工性に問題を有するものである。
【０００７】
本発明は上記の点に鑑みてなされたものであり、化粧パネルの取替えを容易に行なうことができ、しかも受け具や係止具を容易にかつ強固に断熱材に取り付けることができて施工性に優れた基礎断熱構造を提供することを目的とするものである。
【課題を解決するための手段】
【０００８】
本発明の請求項１に係る基礎断熱構造は、基礎１の屋外面に断熱材２を設けると共に、断熱材２の屋外面に化粧パネル３を取り付けて形成され、化粧パネル３の下部は施工後に地面４に埋設される基礎断熱構造であって、固着具５が保持される固着具保持部材６を断熱材２に設け、化粧パネル３の下端部位置に配置される受け具７を固着具保持部材６に打入した固着具５で断熱材２の外面に取り付けると共に、化粧パネル３の上端部位置に配置される係止具８を固着具保持部材６に打入した固着具５で断熱材２の外面に取り付け、化粧パネル３の下端部を受け具７で脱着自在に保持すると共に化粧パネル３の上端部を係止具８で脱着自在に係止することによって、断熱材２の屋外面に化粧パネル３を取り付けて成ることを特徴とするものである。
【０００９】
この発明によれば、化粧パネル３は受け具７と係止具８とで基礎１の屋外面に取り付けられており、化粧パネル３を受け具７や係止具８から外すことによって、化粧パネル３のみの取替えを容易に行なうことができるものである。また受け具７や係止具８は断熱材２に設けた固着具保持部材６に固着具５を打入することによって取り付けられており、固着具５を基礎１に打入するような必要なく、受け具７や係止具８を容易にかつ強固に断熱材２に取り付けることができるものであり、施工性に優れるものである。
【００１０】
また請求項２の発明は、請求項１において、基礎１の上側に配置して取り付けられる土台水切り９で係止具８を覆って成ることを特徴とするものである。
【００１１】
この発明によれば、受け具７は地面４の下にあって外部に露出しないと共に、係止具８も土台水切り９で隠されて外部に露出しないものであり、受け具７や係止具８によって外観が損なわれることを防ぐことができるものである。
【００１２】
また請求項３の発明は、請求項１又は２において、化粧パネル３は、セメントと水と油性物質を主成分とするセメント含有逆エマルジョン組成物からなるセメント系成形材料で形成されたものであることを特徴とするものである。
【００１３】
この発明によれば、化粧パネル３は吸水し難い材料で形成されており、寒冷地などにおいても化粧パネル３に凍害が発生することを防ぐことができるものである。
【発明の効果】
【００１４】
本発明によれば、化粧パネル３は受け具７と係止具８とで基礎１の屋外面に取り付けられているものであって、化粧パネル３を受け具７や係止具８から外すことによって、化粧パネル３のみの取替えを容易に行なうことができるものであり、また受け具７や係止具８は断熱材２に設けた固着具保持部材６に固着具５を打入することによって取り付けられているものであって、固着具５を基礎１に打入するような必要なく、受け具７や係止具８を容易にかつ強固に断熱材２に取り付けることができ、施工性に優れるものである。
【発明を実施するための最良の形態】
【００１５】
以下、本発明を実施するための最良の形態を説明する。
【００１６】
基礎１は図２（ａ）に示すようにコンクリート製の布基礎として施工されているものであり、幅広のフーチング部１ａとフーチング部１ａの上面に立ち上がる立ち上がり部１ｂとから形成してある。この基礎１の屋外面には断熱材２が接着剤で貼り付けてある。断熱材２は立ち上がり部１ｂの上下全幅に取り付けられるものである。１５は基礎１で支持される室内床である。
【００１７】
断熱材２はウレタンフォームやスチレンフォームなどの発泡樹脂で板状に形成されるものであり、断熱材２には固着具保持部材６が一体に設けてある。固着具保持部材６は、図３（ａ）（ｂ）に示すように、断熱材２の上下２ヶ所に設けられるものであり、下の固着具保持部材６ａは断熱材２の背面（屋内面）の下部に、上の固着具保持部材６は断熱材２の上端面にそれぞれ設けるようにしてある。例えば、断熱材２を発泡樹脂で成形する際に、固着具保持部材６ａ，６ｂをインサート成形して取り付けることによって、下の固着具保持部材６ａの背面と断熱材２の背面とを面一にすることができると共に、上の固着具保持部材６ｂの上面と断熱材２の上端面とを面一にすることができるものである。固着具保持部材６ａ，６ｂはビスや釘のような固着具５を打入したときに打入状態を保持できる材料で形成されるものであり、例えば硬質樹脂（不発泡）、木材、パンチングメタル、断熱材２よりも発泡倍率を小さくした発泡樹脂などで形成することができる。
【００１８】
図３の実施の形態では、断熱材２の横方向全長に亘って固着具保持部材６ａ，６ｂを設けるようにしたが、後述のように受け具７や係止具８を取り付ける箇所に対応して所定間隔で固着具保持部材６ａ，６ｂを設けるようにしてもよい。また断熱材２に固着具保持部材６ａ，６ｂを設ける部位は、受け具７や係止具８を取り付ける高さ位置であれば、任意に設定することができるものであり、後述の固着具５を断熱材２の正面からだけでなく、上面や側面からでも打入して受け具７や係止具８の取り付けを行なうようにすることによって、設計の自由度が増すものである。また、固着具保持部材６は断熱材２の背面の全面に一体に設けるようにしてもよく、さらに、固着具保持部材６を表裏の断熱材間にサンドイッチして断熱材２の内部に設けるようにしてもよい。
【００１９】
一方、化粧パネル３は無機系、樹脂系、金属系などの任意の材料で形成することができるものであり、断熱材２の上下幅よりも小さい幅寸法に形成してある。化粧パネル３の材料はこのように特に限定されるものではないが、吸水が少なく寒冷地において凍結が発生し難い材料で形成することが好ましい。
【００２０】
このような凍害が発生し難い材料としては、セメントと水と油性物質を主成分とするセメント含有逆エマルジョン組成物からなるセメント系成形材料を用いることができる。この組成物において、セメントと水の比率は任意に設定することができるが、重量比率で、セメント１に対して水０．３〜２の範囲が一般的に好ましい。
【００２１】
セメントとしては、特に制限されるものではないが、ポルトランドセメント、フライアッシュセメント、高炉セメント、アルミナセメント、ハイアルミナセメント、シリカヒュームなどを挙げることができるものであり、これらを一種単独で用いたり、二種以上を併用したりすることができる。
【００２２】
油性物質は水と逆エマルジョン（Ｗ／Ｏエマルジョン）を形成するためのものであり、特に制限されるものではないが、通常は疎水性の液状物質が利用され、例えばトルエン、キシレン、灯油、スチレン、ジビニルベンゼン、メチルメタクリレート、トリメチロールプロパントリメタクリレート、不飽和ポリエステル樹脂等を挙げることができ、これらを一種単独で用いたり、二種以上を併用したりすることができる。油性物質の配合量は、セメント含有逆エマルジョン組成物中の水と固形分の総量に対して５〜１０体積％の範囲が好ましい。
【００２３】
セメント含有逆エマルジョン組成物には上記の成分の他に、乳化剤を配合することが好ましい。乳化剤は逆エマルジョンに安定性を付与するために配合されるものであり、例えばソルビタンセスキオール、グリセロールモノステアレート、ソルビタンモノオレート、ジエチレングリコールモノステアレート、ソルビタンモノステアレート、ジグリセロールモノオレート等の非イオン界面活性剤、各種アニオン系界面活性剤、カチオン系界面活性剤等を用いることができる。乳化剤の配合量はセメント含有逆エマルジョン組成物中の水と固形分の総量に対して１〜３体積％の範囲が好ましい。
【００２４】
セメント含有逆エマルジョン組成物中にはさらに、適宜量の補強材や各種添加剤を配合することができる。補強材としては、例えば砂利、パーライト、シラスバルーン、ガラス粉、アルミナシリケートなどの骨材、ポリプロピレン繊維、アクリル繊維、ビニロン繊維、アラミド繊維等の合成繊維や、炭素繊維、ガラス繊維、パルプなどの補強繊維を挙げることができる。
【００２５】
そして断熱材２の屋外面に化粧パネル３を取り付けるにあたっては、まず図２（ａ）に示すように、断熱材２の屋外側の下部の外面に受け具７を固定する。受け具７は図４（ａ）（ｂ）のように固定片１７の下端の前面にＬ字形に立ち上がる受け片１８を一体に設けた金具で形成されるものであり、固定片１７の上端部に設けた固定孔１９にビスや釘のような固着具５を通し、この固着具５を断熱材２に屋外面から打入すると共に固着具５の先部を下の固着具保持部材６ａに打入することによって、受け具７を固定することができるものである。
【００２６】
次に、化粧パネル３を断熱材２の屋外面に配置して、化粧パネル３の下端部を受け具７の受け片１８に上方から差し込んで係止する。この後、断熱材２の上端の外面に係止具８を固定して、化粧パネル３の上端部を係止具８で係止する。係止具８は固定片２１の先端に係止片２２を垂下したＬ型の金具で形成されるものであり、固定片２１を断熱材２の上面に載置し、固定片２１を通したビスや釘のような固着具５を上の固着具保持部材６ｂに打入することによって、係止具８を取り付けることができるものであり、このように係止具８を断熱材２に取り付ける際に、係止具８の先端の係止片２２を化粧パネル３の上端の外面に係止するようにしてある。
【００２７】
このように、断熱材２の外面に取り付けた受け具７で化粧パネル３の下端部を受け係止すると共に、係止具８で化粧パネル３の上端部を引掛け係止することによって、受け具７と係止具８で化粧パネル３の下端部と上端部を保持して、図１（ａ）のように化粧パネル３を断熱材２の屋外面に取り付けることができるものであり、接着剤で貼り付けるような必要なく、化粧パネル３の取り付けを行なうことができるものである。従って接着剤を硬化させる養生期間が不要になって工期を短縮することができるものである。
【００２８】
また、受け具７や係止具８を断熱材２に取り付ける固着具５は、固着具保持部材６に打入するようにしてあるので、固着具５の保持強度が高く、受け具７や係止具８を断熱材２に強固に取り付けることができるものである。従って、固着具５を基礎１にまで打ち込む必要がなく、受け具７や係止具８の取付作業が容易になり、化粧パネル３を断熱材２に取り付ける施工性が良好になるものである。
【００２９】
ここで、受け具７や係止具８は図２（ｂ）や図１（ｂ）に示すように、所定間隔で横方向の複数個所に取り付けられるものであり、例えば化粧パネル３の横方向の長さが５００ｍｍ以上の場合、２００〜１０００ｍｍ程度の間隔で受け具７や係止具８を取り付けるようにすればよい。
【００３０】
上記のようにして化粧パネル３の取り付けを終えた後、基礎１の下部を土中に埋めるために土を被せると、化粧パネル３の下部は地面４に埋設されることになり、化粧パネル３の下端部を受ける受け具７は地面４内に埋められて外部に露出しない状態になる。一方、基礎１の上端には土台を取り付けると共にその上に外壁が取り付けられるものであり、外壁の下端部に屋外側へ張り出して土台の屋外側を覆う土台水切り９が取り付けられる。そしてこの土台水切り９の先端の垂下水切り片２４によって、図１（ａ）のように係止具８が屋外側から覆われるようにしてある。従って、土台水切り９を利用して係止具８が外部に露出しないようにすることができるものであり、受け具７や係止具８が露出することによって外観が損なわれることを防ぐことができるものである。
【００３１】
次に、メンテナンスやリフォームなどのために化粧パネル３を取り替えるにあたっては、まず地面４を掘って埋まっている化粧パネル３の下部を露出させる。化粧パネル３は上下幅が断熱材２よりも小さく、化粧パネル３の上端を断熱材２の上端と一致させているために、化粧パネル３の下端は断熱材２の下端よりも上方に位置しており、化粧パネル３の下端部は地面４に５０〜１００ｍｍ程度で浅く埋まっているだけである。従って、地面４の掘り起こし作業の手間は少なくて済む。そして、係止具８を取り付けている固着具５を固着具保持部材６から抜いて係止具８を取り外し、係止具８による化粧パネル３の上端の係止を外す。この場合、固着具５を緩めて係止具８を上方へ引き上げることによって係止具８による化粧パネル３の上端の係止を外すようにしてもよい。このように係止具８による化粧パネル３の上端の係止を外すことによって、化粧パネル３の下端部を受け具７から抜くことができ、化粧パネル３を断熱材２から取り外すことができるものである。
【００３２】
ここで、化粧パネル３を断熱材２に接着剤で貼り付けているときには、断熱材２ごと取り外す必要があり、断熱材２は地面４に深く埋設されているので、掘り返しの深さも深くなるが、化粧パネル３のみを取り外すだけでよいので、掘り起こしの深さは浅くて済む。
【００３３】
この後、新規の化粧パネル３の下端部を受け具７に差し込み係止し、さらに化粧パネル３の上端部を上記と同様にして係止具８で係止することによって、この新規の化粧パネル３を断熱材２の屋外面に取り付けることができ、化粧パネル３の取り替えを行なうことができるものである。
【００３４】
図５は本発明の他の実施の形態を示すものであり、化粧パネル３の上端部を係止して保持する係止具８として、図６に示すものを用いるようにしたものである。その他の構成は上記と同じである。
【００３５】
この実施の形態の係止具８は、固定部材２６と係止部材２７とからなるものである。固定部材２６は図６（ａ）（ｂ）のように、下面が開口する断面逆Ｕ字形の回動保持片２８の両下端にそれぞれ固定片２９を外方へ延出した金具で形成してあり、各固定片２９には固定孔３０が穿設してある。また係止部材２７は図６（ｃ）（ｄ）のように、水平に配置される円柱形状の回動片３１の前端部に係止片３２を下方へ垂下して設けると共に回動片３１の後端部に抜け止め片３３を上方へ突出して設けた金具で形成してある。
【００３６】
そして回動保持片２８内に下側から係止部材２７の回動片３１を差し込んだ状態で、固定部材２６を断熱材２の上端面に載置し、固定部材２６の各固定片２９の固定孔３０から固着具５を固着具保持部材６ｂに打入することによって、固定部材２６と係止部材２７とからなる係止具８を断熱材２の上端に固定して取り付けることができるものである。係止部材２７は前端の係止片３２が断熱材２の屋外側の前方において下方へ垂下する状態で取り付けられるものであり、後端の抜け止め片３３が回動保持片２８の屋内側端縁に係止されることによって、固定部材２６から係止部材２７が抜け落ちることを防ぐようになっている。また固定部材２６の回動保持片２８の内周を係止部材２７の回動片３１が上下方向に回動自在となっており、係止部材２７のこの回動によって係止片３２は垂下する状態から水平、さらに上方を向く状態の間で、断熱材２の屋外面と平行な面で上下方向に回動されるようになっている。
【００３７】
この係止具８を用いて、断熱材２の屋外面に化粧パネル３を取り付けるにあたっては、化粧パネル３を断熱材２の屋外面に配置して、まず化粧パネル３の下端部を受け具７の受け片１８に上方から差し込んで係止し、次に断熱材２の上端の外面に係止具８の係止片３２を係止する。このとき、係止部材２７を回動させて係止片３２を図７（ｂ）のように水平あるいは上向きに回動させ、この状態で化粧パネル３の上端を係止片３２の下側を通過させて断熱材２の屋外面に重ね、この後に係止部材２７を逆向きに回動させて係止片３２を図７（ａ）のように自重で垂下させることによって、断熱材２の上端の外面を係止片３２で係止する作業を行うことができるものである。従って、図１の実施の形態では、化粧パネル３の下端を受け具７に差し込んで保持しながら係止具８を断熱材２に取り付けるために、係止具８の取り付けと係止具８による化粧パネル３の上端の係止の作業を同時に行なう必要があるが、係止具８として図６のものを用いることによって、係止具８を断熱材２に取り付ける作業と係止具８を断熱材２に係止させる作業を独立して行うことができ、作業が容易になるものである。
【００３８】
また、図１の実施の形態では、化粧パネル３を取り替える際に、係止具８を断熱材２から取り外して化粧パネル３に対する係止を外すにあたって、係止具８を覆う土台水切り９が邪魔になって係止具８を取り外す作業が困難になることがあり、化粧パネル３を取り替えるために土台水切り９を取り外さなければならないこともある。これに対して、係止具８として図６のものを用いる場合、土台水切り９の下側で、係止部材２７を回動させて係止片３２を図７（ｂ）のように水平に回動させることによって、化粧パネル３の上端に対する係止片３２の係止を外すことができるものであり、またこの状態で化粧パネル３を取り替えた後に、係止部材２７を逆向きに回動させて係止片３２を図７（ａ）のように垂下させることによって、新たな化粧パネル３の上端に係止片３２を係止させることができるものである。従って、土台水切り９が邪魔になることなく化粧パネル３の取り替えの作業を行なうことができるものであり、化粧パネル３を取り替える作業を行なうために土台水切り９を取り外すような必要はなくなるものである。
【００３９】
尚、係止具８としては、図１のものや図６のものに限定されるものではなく、例えば図１のような形態の係止具８において前端の係止片２２を前方へ向けて上方に折り曲げて係止を外すことができるようにしたものを用いることもできる。この場合は係止片２２を折り曲げるためのスペースを土台水切り９との間に確保する必要があり、設計上の制約を受けることになる。
【図面の簡単な説明】
【００４０】
【図１】本発明の実施の形態の一例を示すものであり、（ａ）は側面断面図、（ｂ）は屋外から見た一部の正面図である。
【図２】同上の実施の形態の化粧パネルを取り付ける前の状態を示すものであり、（ａ）は側面断面図、（ｂ）は屋外から見た一部の正面図である。
【図３】同上の断熱材を示すものであり、（ａ）は側面図、（ｂ）は屋内から見た正面図である。
【図４】同上の受け具を示すものであり、（ａ）は側面断面図、（ｂ）は正面図である。
【図５】本発明の実施の形態の他の一例を示す側面断面図である。
【図６】同上の実施の形態に用いる係止具を示すものであり、（ａ）は固定部材の正面断面図、（ｂ）は固定部材の平面図、（ｃ）は係止部材の側面図、（ｄ）は係止部材の正面図である。
【図７】同上の係止具による係止状態を示すものであり、（ａ）は係止している状態の一部の正面図、（ｂ）は係止を外した状態の一部の正面図である。
【図８】従来例の断面図である。
【符号の説明】
【００４１】
１  基礎
２  断熱材
３  化粧パネル
４  地面
５  固着具
６  固着具保持部材
７  受け具
８  係止具
９  土台水切り
【図１】
2008208543.tif 000003
【図２】
2008208543.tif 000004
【図３】
2008208543.tif 000005
【図４】
2008208543.tif 000006
【図５】
2008208543.tif 000007
【図６】
2008208543.tif 000008
【図７】
2008208543.tif 000009
【図８】
2008208543.tif 000010